(57)【要約】【課題】  大量のログデータを低コストで長期保存することができる記録媒体作成装置及びログ記録方法を提供すること。【解決手段】  記録媒体作成制御部１１は、ホスト装置９０から受信した記録データに基づき、記録媒体作成部１７を制御して記録媒体に記録データを書き込み、記録媒体を作成する。ログ管理部１２のログデータ生成部１３は、記録媒体作成制御部１１の稼動履歴情報からログデータを生成する。生成されたログデータは、ログ記憶制御部１４によりログ記憶部１６に記憶される。ログ保存制御部１５は、ログ記憶部１６の記憶容量を監視しており、ログデータが所定の記憶量を超えたときに、記録媒体作成制御部１１を起動して、ログ記憶部１６に記憶しているログデータを、記録媒体に転記して、保存する。【選択図】  図１
2007058710.tif 000002
【特許請求の範囲】
【請求項１】
ホスト装置又はネットワークに接続されており、前記ホスト装置またはネットワークを介して受信した記録データを記録媒体に書込む記録媒体作成装置であって、
未使用の記録媒体を収納する未使用媒体収納部と、
前記記録媒体に記録データを書き込むデータ記録装置と、
稼動履歴その他のログデータを生成するログ管理部と、
前記ログデータを記憶するログ記憶部と、
を備え、
前記ログ管理部は、前記ログ記憶部に記憶しているログデータが所定の容量を超えたときに、該ログ記憶部のログデータを前記未使用の記録媒体に転記し、転記した該ログデータを前記ログ記憶部から消去または上書き可能とすることを特徴とする記録媒体作成装置。
【請求項２】
前記ログ管理部は、予め設定した日時または所定の時間間隔で、前記ログ記憶部のログデータを前記記録媒体に転記することを特徴とする請求項１に記載の記録媒体作成装置。
【請求項３】
前記ログ管理部は、転記命令を受信したときに、前記記憶部のログデータを前記記録媒体に転記することを特徴とする請求項１または２にに記載の記録媒体作成装置。
【請求項４】
さらに、前記ログデータを記録したログ記録媒体を内部に収納する収納部を備え、前記ログ管理部は、前記収納された前記ログ記録媒体の空き領域に、前記ログ記憶部のログデータを転記することを特徴とする請求項１から３のいずれか１項に記載の記録媒体作成装置。
【請求項５】
（ａ）稼動履歴及び稼動状況に関するログデータをログ記憶部に記憶する工程と、
（ｂ）ログ記憶部に記憶しているログデータが所定の容量を超えたときに、前記ログ記憶部に記憶している前記ログデータを記録媒体に転記する工程と、
（ｃ）転記した前記ログデータを前記ログ記憶部から消去または上書き可能とする工程と、
を備えることを特徴とする記録媒体作成装置のログ記録方法。
【請求項６】
前記工程（ｂ）は、さらに、予め設定した日時または所定の時間間隔で、前記ログデータを前記記録媒体に転記することを特徴とする請求項５に記載の記録媒体作成装置のログ記録方法。
【請求項７】
前記工程（ｂ）は、さらに、転記命令を受信したときに、前記ログデータを前記記録媒体に転記することを特徴とする請求項５または６に記載の記録媒体作成装置のログ記録方法。
【発明の詳細な説明】
【技術分野】
【０００１】
本発明は、ＣＤ、ＤＶＤ等の記録媒体にデータを書込み発行する記録媒体作成装置に関するもので、特に大量のログデータを長期間保存することができる記録媒体作成装置及びそのログ記録方法に関する
【背景技術】
【０００２】
音楽、映像、各種画像、プログラム等の大量のデータを記録して顧客に配布し、または保存文書等を長期間保存する記録媒体として、ＣＤ、ＤＶＤなどの光ディスクが普及している。また、光ディスクにデータを書込むための装置も、ＣＤ／ＤＶＤ等に記録する記録メディアドライブ（読書装置）が種々販売されている。さらに、最近では、病院やオフィスで使用され、ＣＤ、ＤＶＤ等の記録媒体に高速でデータを書込むことができる業務用の記録媒体作成装置も、提案されている。このような業務用の記録媒体作成装置は、高速でＣＤ等の記録媒体にデータを書き込むことができ、データの複製が容易である。そのため、このような記録媒体作成装置では、データの複製やデータの持ち出しを厳しく制限する等のセキュリティの管理を徹底するほか、アクセスログ等の各種ログ情報（ログデータ）の管理を特に厳重に行い、誰がいつどのようなデータを複製したかを事後的に追跡できる体制を確立することが特に重要となる。
【０００３】
ログデータの記録方法としては、一般的に、ログデータを装置内部のメモリに記憶するもの（特許文献１）、ハードディスクに記憶するもの（特許文献２）、管理サーバ内に複数の装置のログデータを一括管理するもの（特許文献２及び特許文献３）等がある。これらの従来技術は、メモリ、又はハードディスク装置等にログデータを記録するものであり、記憶容量に制限があるため、アクセスログ等の大量のログデータを半永久的に保存することを予定していない。そのため、所定の容量をオーバーしたら、古いログデータは消去される。
【０００４】
【特許文献１】特開２００２−１４９３８０号公報
【特許文献２】特開２００４−２９７７７７号公報
【特許文献３】特開２００４−１８５３５１号公報
【発明の開示】
【発明が解決しようとする課題】
【０００５】
しかし、上述したように、記録媒体作成装置ではセキュリティ管理の観点から、誰がどのデータをどのような目的で記録媒体に複製したか等の詳細なアクセスログを長期間保存することが望まれる。このような大量のアクセスログデータを長期間保存するには大きな記憶容量が必要となり、不揮発性メモリまたはハードディスク装置によるログ記録方式は、コストパフォーマンスの観点から望ましくない。
【０００６】
本発明は、上記従来技術の問題点に鑑みてなされたもので、大量のログデータを低コストで長期保存することを可能にした記録媒体作成装置及びそのログ記録方法を提供することを目的とする。
【課題を解決するための手段】
【０００７】
本発明は、所定量のログデータを不揮発性メモリ等のログ記憶部に記憶し、ログ記憶部に記憶しているログデータが一定の量を超えると、ログ記憶部からログデータを記録媒体に転記するよう構成して、上記課題を解決する。
【０００８】
本発明の第１の態様にかかる記録媒体作成装置は、ホスト装置又はネットワークに接続されており、ホスト装置またはネットワークを介して受信した記録データを記録媒体に書込む記録媒体作成装置であって、未使用の記録媒体を収納する未使用媒体収納部と、記録媒体に記録データを書き込むデータ記録装置と、稼動履歴その他のログデータを生成するログ管理部と、ログデータを記憶するログ記憶部とを備え、ログ管理部は、ログ記憶部に記憶しているログデータが所定の容量を超えたときに、該ログ記憶部のログデータを未使用の記録媒体に転記し、転記した該ログデータをログ記憶部から消去または上書き可能とすることを特徴とする。
【０００９】
この態様によると、記録媒体作成装置へのアクセス履歴を含む稼動履歴情報をログデータとしてログ記憶部に記憶するとともに、ログ管理部がログデータの記憶量を監視しており、ログデータの記憶量が増えてログ記憶部の記憶容量が少なくなると、ログ記憶部からログデータを記録媒体に転記して、ログ記憶部を超えることの無いように管理している。従って、ログ記憶部の記憶容量を増やすことなく、アクセスログ等のログデータを記録媒体に保存することが可能となる。
【００１０】
本発明の他の態様にかかる記録媒体作成装置は、ログ管理部が、予め設定した日時または所定の時間間隔で、ログ記憶部のログデータを記録媒体に転記することを特徴とする。この態様では、さらに、予め設定した日時等にログデータを記録媒体に保存する。例えば、夜等のあまりアクセス頻度の高くない日時に保存日及び時間を設定することにより、ログデータ保存により記録媒体作成装置の稼動効率を低下させることを防止可能となる。この場合、ログ記憶部の容量を勘案し、少し早めにログデータを保存するように構成することが望ましい。
【００１１】
本発明の他の態様にかかる記録媒体作成装置は、ログ管理部が、転記命令を受信したときに、記憶部のログデータを記録媒体に転記することを特徴とする。この態様は、ホスト装置、またはネットワーク接続されたクライアント、サーバ等からの転記命令に応じて、ログ記憶部に記憶されているログデータを記録媒体に転記するものである。操作部から転記命令を発するように構成することも可能である。
【００１２】
本発明の他の態様にかかる記録媒体作成装置は、さらに、ログデータを記録したログ記録媒体を内部に収納する収納部を備え、ログ管理部は、収納されたログ記録媒体の空き領域に、ログ記憶部のログデータを転記することを特徴とする。この態様は、ログデータを記録したログ記録媒体を装置内部に保管しておき、ログ記録媒体の記憶容量に空きがある場合に、該空き領域に順次ログデータを転記するものである。これにより、記録媒体を効率的に使用することができる。また、ログ記録媒体の数も少なくなるので、管理が容易となる。
【００１３】
本発明の第１の態様にかかる記録媒体作成装置のログ記録方法は、
（ａ）稼動履歴及び稼動状況に関するログデータをログ記憶部に記憶する工程と、
（ｂ）ログ記憶部に記憶しているログデータが所定の容量を超えたときに、ログ記憶部に記憶しているログデータを記録媒体に転記する工程と、
（ｃ）転記したログデータをログ記憶部から消去または上書き可能とする工程と、
を備えることを特徴とする。
【００１４】
本発明の他の態様にかかる記録媒体作成装置のログ記録方法は、工程（ｂ）が、さらに、予め設定した日時または所定の時間間隔で、ログデータを記録媒体に転記することを特徴とする。
【００１５】
本発明の他の態様にかかる記録媒体作成装置のログ記録方法は、工程（ｂ）は、さらに、転記命令を受信したときに、ログデータを記録媒体に転記することを特徴とする。
【発明の効果】
【００１６】
本発明によると、記録媒体作成装置のログデータを不揮発性メモリ又はハードディスク装置等のログ記憶部に記憶し、ログ記憶部に記憶しているログデータが所定の量を超えたときに、ログ記憶部に記憶しているログデータをＣＤ等の記録媒体に転記して、ログ記憶部を上書き可能に設定またはログ記憶部の転記したログデータを消去する。これにより、ログ記憶部の記憶容量を適切に維持しつつ、大量のログデータを半永久的に保存することが可能となる。また、記録媒体作成装置は、内部に未使用記録媒体を備えているので、ログデータの転記処理のための記録媒体のセット等人為的な操作は不要であり、すべて自動的に処理可能である。これにより、ログデータは長期保存可能となり、不正アクセスや持ち出し禁止データの不正な複製等を永続的に管理することが可能となる。
【発明を実施するための最良の形態】
【００１７】
図面を用いて本発明の実施形態について説明する。
【００１８】
＜第１の実施形態＞
図１は本発明の一実施形態にかかる記録媒体作成装置１０の基本構成を示すブロック図である。記録媒体作成装置１０は、記録媒体作成制御部１１、ログ管理部１２、ログ記憶部１６、及び記録媒体作成部１７を備えている。
【００１９】
記録媒体作成制御部１１は、ホスト装置９０の要求に基づき、記録媒体作成部１７を制御して、ホスト装置９０により指定された記録データを記録媒体に書込み、所望のデータが書き込まれた記録媒体を高速で作成する。記録媒体作成部１７は、少なくとも、ＣＤ、ＤＶＤ等の記録媒体にデータを書き込むためのデータ記録部を備えている。
【００２０】
ログ管理部１２は、ログデータ生成部１３、ログ記憶制御部１４、ログ保存制御部１５を備えている。ログデータ生成部１３は、記録媒体作成制御部１１の稼動状況を監視しており、稼動ログデータ（メンテナンスログ、アクセスログ等のすべてのログデータを含む。以下単に、「ログデータ」と称する）を生成する。ログ記憶制御部１４は、生成されたログデータをログ記憶部１６に記憶する。ログ記憶部１６は、ログデータを不揮発性記憶可能であれば良く、不揮発性メモリであってもハードディスク装置であってもよい。
【００２１】
ログ保存制御部１５は、ログ記憶部１６の記憶容量を監視しており、ログデータの記憶量が所定量を超えたら、ログ記憶部１６に記憶しているログデータの一部又は全部を、記録媒体に転記するため、記録媒体作成制御部１１を起動する。「所定量」は、ログ記憶部の記憶容量に応じて、自由に設定可能である。また、ログ記憶部１６に記憶しているすべてのログデータを転記する必要はなく、新しいログデータを所定量残しておき、一部の古いログデータのみを転記するようにしてもよい。さらに、ログデータを保存する日時を予め設定しておき、設定日時になったらログデータの記憶容量の如何にかかわらず保存するように構成してもよい。また、所定の時間間隔を設定して、設定した時間間隔ごとに定期的に保存するようにしてもよい。
【００２２】
＜第２の実施形態＞
＜構成＞
図２は、本発明の第２の実施形態にかかる記録媒体作成装置２０の機能ブロック図である。図２は、図１に示す第１の実施形態の記録媒体作成制御部１１及び記録媒体作成部１７をさらに詳細に示す実施形態であり、図１と同じ部分は同じ番号を用いている。記録媒体作成制御部１１は、管理サーバ部３１と、装置制御部３２とを備えている。記録媒体作成部１７は、データ記録装置３４、印刷装置３５、未使用媒体収納部３６、書込済媒体収納部３７、取出ゲート３８、記録媒体搬送機構３９を備えている。
【００２３】
管理サーバ部３１は、通信インタフェース２１を介してホスト装置９０、ネットワーク上のクライアント９１、９２、サーバ９３等の装置に接続されており、ホスト装置９０等からの記録媒体作成の要求を受け付ける。管理サーバ部３１は、記録媒体の作成の申請から承認までのワークフローを管理する認証管理機能を備えている。申請の際に、管理サーバ部３１は、作成者の名前、作成目的、配布先、記録媒体に書き込む記録データ等の各種申請データを受信する。承認権限者は、管理サーバ３１にアクセスして、申請データを確認し、記録媒体の作成を承認するかどうかを判断し、作成を承認または不許可とする。これらの申請データ及び承認または作成不許可等のデータは、ワークフローデータとして、ハードディスク装置２３に記録される。
【００２４】
記録媒体の作成が承認された場合、装置制御部３２は、管理サーバ部３１からの要求に基づいて、記録媒体作成部１７の各部３４〜３９を制御して、記録媒体を作成する。
【００２５】
データ記録装置３４は、申請された記録データを記録媒体に書き込む装置であり、読書きの双方ができることが望ましい。印刷装置３５は、記録媒体のレーベル面に所定の印刷を行うものである。未使用媒体収納部３６は、未使用のまだ何も書込まれていない記録媒体（以下、「未使用記録媒体」と称する）を収納する収納部である。未使用媒体収納部３６は、数十枚（１０枚から９０枚程度）の未使用記録媒体を収納できることが望ましい。書込済媒体収納部３７は、既に記録データが書き込まれてレーベル印刷も終わった記録媒体（書込済記録媒体）を収納する収納部である。これも同様に数十枚（１０枚から９０枚程度）の書込済記録媒体を収納できることが望ましい。取出ゲート３８は、記録媒体作成装置２０から外部に取出すためのゲートであり、操作部４０による操作若しくは、ホスト装置９０等からの制御信号により開閉される。記録媒体搬送機構３９は、未使用記録媒体に記録データを書込みから書込済記録媒体が完成するまで、記録媒体を記録媒体作成部１７の各部３４〜３８へ搬送するための搬送機構である。
【００２６】
ログ管理部１２は、管理サーバ部３１及び装置制御部３２からそれぞれ稼動ログ（ログデータ）を生成し、ログ記憶部１６に記憶する。ログデータには、計時手段に基づいて時間情報も付加することが望ましい。図２の記録媒体作成装置２０のようにハードディスク装置２３を備えている場合には、ハードディスク装置２３の特定の記憶領域をログ記憶部１６とすることもできる。
【００２７】
ログ管理部１２のログデータ生成部１３（図１参照）は、管理サーバ部３１のログデータだけでなく、装置制御部３２のログデータも生成する。アクセスログは、主として管理サーバ部３１の申請情報、承認情報に基づいて生成され、ハードディスク装置２３、及び記録媒体作成部１７の各部３４乃至３９の稼動ログ及びメンテナンスログは主として、装置制御部３２からの情報に基づいて生成される。ログデータ生成部１３で生成されたログデータは、ログ記憶制御部１４の制御に基づき、ログ記憶部１６に記憶される。
【００２８】
＜記録媒体の作成処理動作＞
記録媒体を作成する基本的な動作について説明する。管理サーバ部３１が、ホスト装置９０等からの申請を受付け、承認権限者から作成についての承認を受信すると、管理サーバ部３１により、装置制御部３２が起動されて記録媒体の作成が開始される。
【００２９】
装置制御部３２は、まず、記録媒体搬送機構３９を制御して、未使用媒体収納部から未使用記録媒体を取出し、データ記録装置３４にセットする。次に、データ記録装置により申請された記録データを未使用記録媒体に書込む。記録データの書込みが終わると、記録媒体を印刷装置に搬送してレーベル印刷を行う。レーベル印刷が完了すると、記録媒体は書込済媒体収納部３７または取出ゲート３８に搬送されて、書込済媒体収納部３７に収納されるかまたは取出ゲート３８を介して外部に取り出される。
【００３０】
＜ログデータの保存処理手順＞
次に、図３及び図４を用いて、ログデータの記録媒体への保存処理手順について説明する。図３は、ログ管理部１２によるログデータの保存処理の制御手順を示すフローチャートであり、図４は、装置制御部３２が、ログ管理部１２の制御に基づき、ログ記録媒体を作成する処理手順を示すフローチャートである。
【００３１】
まず図３を用いて、ログ管理部１２による保存処理手順について説明する。ログ保存制御部１５は、ログ保存条件を監視しており（Ｓ１０１）、保存条件を満たす場合には（Ｓ１０１；Ｙｅｓ）、装置制御部３２に対して、ログ記録部１６に記録しているログデータを記録媒体に転記するための転記命令を出力する（Ｓ１０２）。これによりログ記憶部に記憶しているログデータを記録媒体へ転記するための処理が起動され、装置制御部３２は、後述するような転記処理動作を開始する。
【００３２】
保存処理を起動するための保存条件をどのように設定するかは、任意である。
例えば、
（１）ログ記憶部１６の記憶容量が残り少なくなった場合に記録媒体に保存する、
（２）予め所定の日時を指定しておき、指定した日時に記録媒体に保存する。
（３）例えば、１週間に一回、１ヶ月に一回等、所定の時間間隔を指定して定期的に記録媒体に保存する。
等の条件を自由に組み合わせて、保存条件とすることが可能である。
【００３３】
さらにログ保存制御部１５は、ログ記憶部１６からログデータを読み出して（Ｓ１０４）、装置制御部３２に送信する（Ｓ１０５）。転記すべきログデータの送信がすべて終了するまで、同様の処理が繰り返され（Ｓ１０６；Ｎｏ、Ｓ１０４、Ｓ１０５）、すべての送信が終了すると（Ｓ１０６；Ｙｅｓ）、送信したログデータをログ記憶部１６から消去する（Ｓ１０７）。消去せずに、上書き可能に設定するようにしてもよい。
【００３４】
図４を用いて、装置制御部３２によりログデータを記録媒体に書き込む処理手順について説明する。まず、ログ記録媒体への書込みか、未使用記録媒体への書き込みかどうかを確認する（Ｓ２０１）。ログ記録媒体とは、ログ管理部１２の制御の下、既にログデータが書き込まれている記録媒体である。ログ記録媒体に書込み可能な空き領域が残っている場合に、ログ管理部１２からの命令により、指定されたログ記録媒体の空き領域にログデータが追記される。ログ記録媒体への書込みの場合（Ｓ２０１；Ｙｅｓ）、指定されたログ記録媒体が、書込済媒体収納部３７から取出されて（Ｓ２０２）、データ記録装置３４にセットされる（Ｓ２０４）。ログ記録媒体への書込みではない場合（Ｓ２０１；Ｎｏ）、未使用媒体収納部３６から未使用記録媒体が取出され（Ｓ２０３）、データ記録装置３４にセットされる（Ｓ２０４）。
【００３５】
次に、装置制御部３２は、データ記録装置３４を制御して、ログ管理部１２から受信したログデータを記録媒体に書き込む（Ｓ２０５）。記録媒体への書込み処理は、ログ管理部１２から受信した全ログデータの書き込みが終了するまで繰り返される（Ｓ２０６；Ｎｏ、Ｓ２０５）。
【００３６】
ログ管理部１２から受信したすべてのログデータの書き込みが終了すると（Ｓ２０６；Ｙｅｓ），ログ記録媒体は印刷装置３５へ搬送され（Ｓ２０７）、印刷装置３５によりログ記録媒体のレーベル面に所定の印刷が行われる（Ｓ２０８）。印刷が完了すると、ログ記録媒体は書込済媒体収納部３７または取出ゲート３８に搬送される。いずれに搬送するかは、ログ管理部１２により指示される。取出ゲート３８に搬送されたログ記録媒体は、外部に取り出される。
【００３７】
以上説明したように、本発明によれば、ログ記憶部１６の容量を適切に維持した状態で、アクセスログ等の大量のログデータを半永久的に保存することが可能となる。従って、記録媒体作成装置のアクセスログを永続的に追跡可能となり、データのセキュリティ管理をより強固なものとすることができる。
【００３８】
尚、上記の第２の実施形態では、ログ管理部１２及びログ記憶部１６を記録媒体作成制御部１１の外に設ける構成としたが、ログ管理部１２及びログ記憶部１６を管理サーバ部３１または装置制御部３２内に設けることも可能である。
【００３９】
また、第２の実施形態では、レーベル印刷を行うことのできる印刷装置を設けたが、このような印刷装置は必須のものではなく、必ずしも設ける必要はない。
【００４０】
さらに、ログ保存制御部１５に、所定の条件を満足するログデータのみを記録媒体に転記するようなログデータ判定部を設けて、所定のログデータのみを記録媒体に転記するように構成してもよい。例えば、アクセスログのみ転記し、メンテナンスログ等の他の稼動ログは転記しないように構成することが可能である。
【００４１】
＜その他の利用分野＞
上記実施形態では、記録媒体作成装置のログ管理について説明したが、複数の装置のログデータをネットワーク接続されたログ管理サーバにより管理するログ管理サーバに適用することも可能である。すなわち、データ記録装置を設けることにより、ログ管理サーバに、未使用記録媒体を収納する未使用媒体収納部と、ＣＤ、ＤＶＤ等にデータを書込み可能なデータ記録装置と、ログ保存制御部とを設けることにより、必要なデータをすべて、または、選択的に記録媒体に永久保存するように構成することも可能である。
【図面の簡単な説明】
【００４２】
【図１】本発明の一実施形態にかかる記録媒体作成装置の基本構成を示すブロック図である。
【図２】本発明の第２の実施形態にかかる記録媒体作成装置の機能ブロック図である。
【図３】ログ管理部によるログデータの保存処理の制御手順を示すフローチャートである。
【図４】ログ管理部の制御に基づき、ログ記録媒体を作成する装置制御部の処理手順を示すフローチャートである。
【符号の説明】
【００４３】
１０  記録媒体作成装置                  １１  記録媒体作成制御部
１２  ログ管理部                        １３  ログデータ生成部
１４  ログ記憶制御部                    １５  ログ保存制御部
１６  ログ記憶部                        １７  記憶媒体作成部
２１  通信インタフェース                ２３  ハードディスク装置
３１  管理サーバ部                      ３２  装置制御部
３４  データ記録部                      ３５  印刷装置
３６  未使用媒体収納部                  ３７  書込済媒体収納部
３８  取出ゲート                        ３９  記録媒体搬送機構
４０  操作部                            ９０  ホスト装置
９１、９２  クライアント                ９３  サーバ
【図１】
2007058710.tif 000003
【図２】
2007058710.tif 000004
【図３】
2007058710.tif 000005
【図４】
2007058710.tif 000006